(57)【特許請求の範囲】
【請求項１】
複数の出力ポート部と、この複数の出力ポート部に対して予め設定された順序で洗浄水を供給する洗浄水供給手段と、前記複数の出力ポート部の各々に対をなして連絡して配設した複数の負圧破壊弁とを備え、前記複数の負圧破壊弁の大気連絡部からの溢水を前記複数の出力ポート部の前記洗浄水供給手段から洗浄水の供給を受けていない出力ポート部に排出することを特徴とする洗浄水供給装置。
【請求項２】
前記複数の負圧破壊弁の大気連絡部から溢れた水を受ける溢水収容部を備え、この溢水収容部を介して各大気連絡部が連絡したことを特徴とする請求項１記載の洗浄水供給装置。
【請求項３】
第１出力ポート部と、第２出力ポート部と、前記第１、２出力ポート部に対して排他的に洗浄水を供給する洗浄水供給手段と、前記第１出力ポート部に連絡した第１負圧破壊弁と、前記第２出力ポート部に連絡した第２負圧破壊弁とを備え、前記第１負圧破壊弁の大気連絡部からの溢水を前記第２出力ポート部に、前記第２負圧破壊弁の大気連絡部からの溢水を前記第１出力ポート部に排出することを特徴とする洗浄水供給装置。
【請求項４】
前記第１負圧破壊弁の大気連絡部及び前記第２負圧破壊弁の大気連絡部から溢れた水を受ける溢水収容部を備え、この溢水収容部を介して前記第１負圧破壊弁の大気連絡部と前記第２負圧破壊弁の大気連絡部とを連絡したことを特徴とする請求項３記載の洗浄水供給装置。
【発明の詳細な説明】
【０００１】
【発明の属する技術分野】
本発明は、水洗便器などの衛生設備機器に洗浄水を供給する洗浄水供給装置に関する。
【０００２】
【従来の技術】
従来、水洗便器に洗浄水を供給するための洗浄水供給装置は、定流量弁、分配弁、水洗便器の洗浄水供給口からの汚水逆流防止のため負圧破壊弁（バキュームブレーカー）等を備えており、負圧破壊弁の弁作動時に大気開放口から溢れた漏れ水は水洗便器の上部に別途配設された排出管路を通り、洗浄水供給装置の取付基板に設けた排水溝から水洗便器のボール面まで導かれて排出している。
【０００３】
【発明が解決しようとする課題】
しかし、従来の洗浄水供給装置においては、それが便器本体に設けられた機能部品等の収納部に収納されている。しかし、この収納部の高さが低い水洗便器の場合前記排出管路を配設するスペースの確保が難しい。また、前記排出管路が洗浄水供給装置とは別体で外部取付となるため見栄えも悪く水洗便器全体をスッキリとした形状にすることが困難であった。
【０００４】
本発明の目的は、洗浄水供給装置を便器本体に設けられた収納部に収納する水洗便器であっても前記収納部の高さが低くでき、負圧破壊弁から溢れた漏れ水の排出経路が露出することなくスッキリしたデザインの水洗便器を実現できる洗浄水供給装置を提供することにある。
【０００５】
【課題を解決するための手段及び作用・効果】
本発明の洗浄水供給装置は、複数の出力ポート部と、この複数の出力ポート部に対して予め設定された順序で洗浄水を供給する洗浄水供給手段と、前記複数の出力ポート部の各々に対をなして連絡して配設した複数の負圧破壊弁とを備え、前記複数の負圧破壊弁の大気連絡部からの溢水を前記複数の出力ポート部の前記洗浄水供給手段から洗浄水の供給を受けていない出力ポート部に排出することを特徴とする。
このような構成により、溢水の排出処理が洗浄水供給装置自体で行うことができ、別途溢水の排出経路を設ける必要がなく洗浄水供給装置がコンパクトになる。
【０００６】
また、本発明の洗浄水供給装置は、  第１出力ポート部と、第２出力ポート部と、前記第１、２出力ポート部に対して排他的に洗浄水を供給する洗浄水供給手段と、前記第１出力ポート部に連絡した第１負圧破壊弁と、前記第２出力ポート部に連絡した第２負圧破壊弁とを備え、前記第１負圧破壊弁の大気連絡部からの溢水を前記第２出力ポート部に、前記第２負圧破壊弁の大気連絡部からの溢水を前記第１出力ポート部に排出することを特徴とする。このような構成により、溢水の排出処理が洗浄水供給装置自体で行うことができ、別途溢水の排出経路を設ける必要がなく洗浄水供給装置がコンパクトになる。
【０００７】
また、第１負圧破壊弁の大気連絡部及び前記第２負圧破壊弁の大気連絡部から溢れた水を受ける溢水収容部を備え、この溢水収容部を介して前記第１負圧破壊弁の大気連絡部と前記第２負圧破壊弁の大気連絡部とを連絡したことを特徴とする。このような構成により、負圧破壊弁の大気連絡部からの溢水の排出経路を簡単に形成することができる。
【０００８】
【発明の実施の形態】
以下、本発明の一実施例を図面にもとづいて説明する。
図1は洗浄水供給装置を備えた水洗式大便器の概略構成図である。図２は洗浄水供給装置のリム部給水時の状態を示す縦断面図である。図３は洗浄水供給装置のジェット給水時の状態を示す縦断面図である。１７は水洗式大便器で、１は洗浄水供給装置である。水洗式大便器１７は、ボール部上縁のリム部１７ａから洗浄水を吐出してボール部１７ｂを洗浄するリム洗浄と、ボール部１７ｂの底部に配設したジェット吐出ノズル１７ｃから洗浄水をトラップ部１７ｄに向って直接吐出して汚物、汚水を搬送するジェット洗浄とを行う構成としている。
リム部１７ａはリム吐水配管１８を介して洗浄水供給装置１のリム給水部３ａに連結され、ジェット吐出ノズル１７ｃはジェット吐水配管１９を介して洗浄水供給装置１のジェット給水部４ａに連結されている。
【０００９】
洗浄水供給装置１は、一次側給水路２に連結される定流量弁２ａ、この定流量弁２ａの下流側に配設される止水弁機構部２ｂと分配弁機構部２ｃを備えている。
分配弁機構部２ｃは、リム部１７ａに洗浄水を供給する第１出力ポート部３と連絡する第１分配部１１、ジェット吐出ノズル１７ｃに洗浄水を供給する第２出力ポート部４と連絡する第２分配部１２と、回転ドラム１３とを備え、この回転ドラム１３を回転することにより、第１分配室１１、第２分配室１２に一次側給水路２から排他的に洗浄水を供給するようにしている。
第１分配室１１と第１出力ポート部３との境界部にはリム部側の負圧破壊弁５の分配室側弁座５ａ、第２分配室１２と第２出力ポート部４との境界部にジェット側の負圧破壊弁６の分配室側弁座６ａを設けている。また、第１、２出力ポート部３、４の上位置に負圧破壊弁５、６の大気連絡部５ｂ、６ｂがそれぞれ設けられ、その近傍に負圧破壊弁５、６の弁体５ｃ、６ｃのそれぞれが着座する大気連絡部側弁座５ｄ、６ｄが設けられている。
前記弁体５ｃ、６ｃがそれぞれの分配弁側弁座５ａ、６ａと大気連絡部側弁座５ｄ、６ｄの間を上下移動可能としている。
また、大気連絡部５ｂと大気連絡部６ｂとの間には、漏れ水が外部に溢れないよう周囲に縁のついたオーバーフロー水受容部８を設けている。
【００１０】
次に、洗浄水供給装置１の動作について説明する。
先ず、リム部１７ａに洗浄水を供給する場合を図２により説明する。回転ドラム１３が回転して、第２分配室１２側への給水を停止し、一次側給水路２から第１分配室１１を経由して第１出力ポート部３に洗浄水が供給され、リム部給水部３ａ、リム吐水配管１８を経由してリム部１７ａに洗浄水が供給される。このとき、洗浄水の水圧により負圧破壊弁５の弁体５ｃが分配室側弁座５ａから離座して上方に押し上げられ大気連絡部側弁座５ｄに着座するまでの一瞬、大気連絡部５ｂから洗浄水の一部が漏れる。漏れた水はオーバーフロー水受容部８に落下して貯溜される。このとき、他方のジェット側の負圧破壊弁６の弁体６ｃはその自重により分配室側弁座６ａに着座し、大気連絡部６ｂは第２出力ポート部４、ジェット給水部４ａと連通した状態となっており、オーバーフロー水受容部８の上面から溢れた水は、大気連絡部６ｂに流れ込み、最終的にジェット吐水ノズルの排出される。
【００１１】
図４は図２のＡ−Ａ縦断面図で、矢印で示すようにオーバーフロー水受容部８の上面から溢れた水がジェット側の大気連絡部６ｂ、第２出力ポート部４、ジェット給水部４ａへと排出される。
【００１２】
次に、ジェット吐出ノズル１７ｃに洗浄水を供給する１７ａに洗浄水を供給する場合を図３により説明する。
回転ドラム１３が回転して、第１分配室１１側への給水を停止し、一次側給水路２から第２分配室１２を経由して第２出力ポート部４に洗浄水が供給され、ジェット部給水部４ａ、ジェット吐水配管１９を経由してジェット吐水ノズル１７ｃに洗浄水が供給される。このとき、洗浄水の水圧によりジェット側の負圧破壊弁６の弁体６ｃが分配室側弁座６ａから離座して上方に押し上げられ大気連絡部側弁座６ｄに着座するまでの一瞬、大気連絡部６ｂから洗浄水の一部が漏れる。漏れた水はオーバーフロー水受容部８に落下して貯溜される。このとき、他方のリム部側の負圧破壊弁５の弁体５ｃはその自重により分配室側弁座５ａに着座し、大気連絡部５ｂは第１出力ポート部３、リム給水部３ａと連通した状態となっており、オーバーフロー水受容部８の上面から溢れた水は、大気連絡部    に流れ込み、最終的にリム部１７ａに排出される。
【００１３】
以上、リム部１７ａ、ジェット吐水ノズル１７cに洗浄水を供給する動作を行う際、止水弁機構部２ｂでの開弁初期（吐水初期）及び切替時に負圧破壊弁の弁体５ｃ、６ｃが大気連絡部側弁座５ｄ、６ｄに着座するまでの一瞬、一部漏れた水がオーバーフロー水受容部８に溜まるが、この漏れ水をリム部１７ａ給水時はジェット側給水部４ａへ、またジェット吐水時にはリム側給水部３ａへと排出することにより、各給水部３ａ、４ａを漏れ水の排出経路として有効利用が可能となる。
【００１４】
また、以上の実施例においては、洗浄水の供給先としてリム部１７ａとジェット吐水ノズル１７ｃの２ヶ所の供給先の例で説明したが、供給先が３ヶ所の場合でも適用できる。
また、リム部１７ａとジェット吐水ノズル１７ｃへ洗浄水を供給する手段として回転ドラム１３が回転して供給先を切替える分配弁機構部２ｃの構成に限定されず、電磁弁、ボールバルブなどの開閉弁をリム部１７ａ用とジェット吐水ノズル１７ｃ用と別個に設けて、これらの開閉弁を切替えるなどの手段でもよい。
【００１５】
【発明の効果】
本発明の洗浄水供給装置によれば、負圧破壊弁の大気連絡部からの溢水の排出経路として別途配管を敷設することなく、洗浄水供給装置自体の中で一体的に構成でき、低コスト化が図れる。
また、便器本体に洗浄水供給装置を組み込む場合、この装置を収容する収容部の高さを低くでき、すっきりしたデザインの便器が実現できる。
【図面の簡単な説明】
【図１】本発明の洗浄水供給装置と大便器の概略構成図である。
【図２】洗浄水供給装置のリム部側給水時の状態を示す縦断面図である。
【図３】洗浄水供給装置のジェット側給水時の状態を示す縦断面図である。
【図４】図２のＡ−Ａ縦断面図である。
【符号の説明】
１…洗浄水供給装置
２…一次側給水路
２ａ…定流量弁
２ｂ…止水弁機構部
２ｃ…分配弁機構部
３…第１出力ポート部
３ａ…リム給水部
４…第２出力ポート部
４ａ…ジェット給水部
５…リム部側の負圧破壊弁
６…ジェット側の負圧破壊弁
５ａ、６ａ…分配室側弁座
５ｂ、６ｂ…大気連絡部
５ｃ、６ｃ…弁体
５ｄ、６ｄ…大気連絡部側弁座
８…オーバーフロー水受容部
１１…第１分配室
１２…第２分配室
１３…回転ドラム
１７…水洗式大便器
１７ａ…リム部
１７ｂ…ボール部
１７ｃ…ジェット吐出ノズル
１７ｄ…トラップ部
１８…リム吐水配管
１９…ジェット吐水配管
【図１】
0004196508.tif 000002
【図２】
0004196508.tif 000003
【図３】
0004196508.tif 000004
【図４】
0004196508.tif 000005